(57)【特許請求の範囲】
【請求項１】
仰臥した人の少なくとも背中から臀部に至る領域の左側を支持可能な長さ寸法、幅寸法の左側マット部と、
仰臥した人の少なくとも背中から臀部に至る領域の右側を支持可能な長さ寸法、幅寸法の右側マット部と、
前記左側マット部と右側マット部との間に、その長さ方向にわたって確保される所定幅の隙間部と、
当該隙間部の間隔を任意に調整可能にして左側マット部と右側マット部とを連結する連結部とからなり、
前記左側マット部と右側マット部は、仰臥した人の背中左右両側を支持して前記隙間部で脊椎近傍を浮かせると共に、横臥した人の背中側又は胸部側を支持し、
前記連結部によって隙間部の間隔を調整することにより、使用者の体重や体型に応じた左側マット部と右側マット部との沈み込み量を調整する、褥瘡予防用補助マット。
【請求項２】
前記左側マット部と右側マット部は、相互に向かい合う側の面の高さを低くし、外側を高くした横断面略楔形状に形成すると共に、
前記連結部は、左右マット部の長さ方向の中心位置を除いた部分に形成されている、請求項１に記載の褥瘡予防用補助マット。
【請求項３】
前記左側マット部と右側マット部とでは、その幅、厚さ、及び長さの少なくとも何れかが異なっている、請求項１に記載の褥瘡予防用補助マット。
【発明の詳細な説明】
【技術分野】
【０００１】
本発明は、床ずれとして一般に知られている褥瘡（じょくそう）を効果的に予防し、また褥瘡の症状を改善する為の補助マットに関し、特に横臥又は仰臥した時に不自然な感じを受けることなく、且つ利用者の体型や症状に合わせて使用することの出来る褥瘡予防の為の補助マットに関する。
【背景技術】
【０００２】
高齢化社会の進行に伴う寝たきり患者等の入院者数の増加と共に、褥瘡発生の危険の高い患者は増加している。この褥瘡は、臨床的には、患者が長期にわたり同じ体勢で寝たきり等になった場合、体とベッドや布団などの支持面との接触局所で血行が不全となって、周辺組織に壊死を起こすことにより発生する。
【０００３】
そこで、このような褥瘡の発生を予防するべく、従来から褥瘡予防効果を有する様々なマットが提案されている。例えば、特許文献１（実用新案登録第３０１３５８２号公報）では、ねたきり患者が仰臥位の際に仙骨・尾骨１の下外部の皮膚に対応する部分に開けた穴２と、上記仰臥位の患者が９０°の左又は右への寝返りをうって側臥位となった際に大腿骨の左右の大転子３の下外部の皮膚に対応する部分に開けた二つの穴６を一体にもつ、柔軟弾発性物質よりなる腰当マツト状のとこずれ予防具７が提案されている（図１０参照）。
【０００４】
また、特許文献２（実用新案登録第３０９４１６９号公報）では、仰臥した被介護者の仙骨部の皮膚の引っ張りを抑えると共に、仰臥した被介護者の仙骨部の底つきをなくして床ずれを防止するべく、仰臥した状態の人の左右の臀部を個別に支持する平面視矩形状の一対の受けパッド１を備えた褥瘡防止用具であって、前記両受けパッド１は、弾性部材からなり、その長辺の長さが、腸骨の上端部から大腿の付け根の近傍までの長さを有すると共に、短辺の長さが、臀部の臀裂の近傍から臀部側面までの長さを有し、さらに、前記両受けパッド１の上面には、臀部の臀裂側の長辺から臀部側面側の長辺に向かうにしたがって深くなる曲面の当接部４が形成されてなる褥瘡防止用具が提案されている（図１１参照）。
【０００５】
そして特許文献３（実用新案登録第３０１４１４２号公報）では、痩せて体の筋肉が落ち、背骨や尾てい骨部分が寝ても腰掛けても痛みを感じる人の床擦れ防止のためのパッドとして、パッド本体１・２の中央に綿抜きの縦溝２を作り、背骨から尾てい骨部分に当てて鬱血を防止し、体からずれない様にベルト３で固定できる床擦れ予防パッドが提案されている（図１２参照）。
【先行技術文献】
【特許文献】
【０００６】
【特許文献１】実用新案登録第３０１３５８２号公報
【特許文献２】実用新案登録第３０９４１６９号公報
【特許文献３】実用新案登録第３０１４１４２号公報
【発明の概要】
【発明が解決しようとする課題】
【０００７】
前述の通り、褥瘡は体とベッドや布団などの支持面との接触局所における血行不全により周辺組織に壊死を起こすことで発症することから、体重の圧迫の多くかかる部位（体重のかかる骨の突出している部位で、脂肪や筋肉の薄いところ）、例えば腰部、仙骨部、大腿骨頭部、かかと、趾部頭部に多く発生する。そしてこの褥瘡は、圧迫、うっ血、壊死化、潰瘍の順に重篤化することも知られている。また、褥瘡を生じやすい局所的原因として、皮膚の摩擦やずれで生ずる皮膚病変、糞尿の失禁や下痢症状などによる皮膚の湿潤やただれ、及び発汗によるむれやかぶれ、また不適合な着衣またはおむつによるかぶれなどが考えられている。
【０００８】
したがって、このような褥瘡を予防するためには、接触局所における血行不全が生じる事の無いように、体重の多くかかる部位を浮かせることが必要である。そこで、前記の特許文献１〜３では、もっぱら体重の多くかかる部位を浮かせるような工夫がなされている。
【０００９】
しかしながら、たとえ褥瘡を効果的に予防できたとしても、不自然な凹凸により横臥又は仰臥することが苦痛になってしまうのでは、実際の使用に耐え得ることはできない。特に褥瘡が生じる場合は、起き上がることが困難な症状の患者である場合が多いことから、長時間の横臥又は仰臥が苦痛であっては、有効に利用することが困難になってしまう。
【００１０】
そこで本発明では、横臥又は仰臥したときの体重の分散が自然であって、凹凸による違和感の存在しない褥瘡予防の為の補助マットを提供することを第一の課題とする。
【００１１】
また、褥瘡は年齢や性別などに関係なく疾患する症状であり、よって利用者の体型も様々である。したがって前記特許文献１〜３で提案されている物を使用したとしても、利用者の体型次第では十分な効果が獲られないことも考えられる。
【００１２】
そこで本発明では、利用者の体型に合わせて、効果的に体重の多くかかる部位を浮かせることの出来る褥瘡予防の為の補助マットを提供することを第二の課題とする。
【００１３】
また、一般的に人が就寝する際の姿勢は、常に仰臥している訳ではなく、寝返りを打ったり、横臥したりする等、様々な姿勢を取ることが知られている。この点、前記特許文献１及び３では、このような寝返りについても検討はされているものの、横臥した姿勢を維持しやすくする事に関しては何ら考慮されていない。また、特許文献２においては、寝返りはおろか、横臥する事さえも考慮されていない。
【００１４】
そこで本発明では、仰臥した状態に於いては前記の課題を解決しながらも、更に横臥した姿勢を安定して持続することのできるようにした褥瘡予防の為の補助マットを提供することを第三の課題とする。
【００１５】
更に、特許文献２で開示されているような褥瘡防止用具では、利用者が就寝中に寝返りをする等により移動してしまい、所望の位置に固定しておくのは困難である。また特許文献３に開示されているような予防パッドでは、利用者に巻きつけるものである事から、着用時における違和感が生じる他、夏季などに於いては暑苦しくなり、就寝が困難になってしまう。
【００１６】
そこで本発明では、就寝中にも移動する事が無く所期の場所に留めておくことができ、更に利用者に巻きつける等による違和感を無くした褥瘡予防の為の補助マットを提供することを第四の課題とする。
【課題を解決するための手段】
【００１７】
上記課題の少なくとも何れかを解決するべく、本発明では２つのマット同士の間隔を調整自在に一体化してなる褥瘡予防用補助マットを提供するものである。
【００１８】
即ち本発明では、仰臥した人の少なくとも背中から臀部に至る領域の左側を支持可能な長さ寸法、幅寸法の左側マット部と、仰臥した人の少なくとも背中から臀部に至る領域の右側を支持可能な長さ寸法、幅寸法の右側マット部と、前記左側マット部と右側マット部とを連結すると共に、両マット部分同士の間隔を任意に調整可能な連結部材とからなる褥瘡予防用補助マットを提供する。
【００１９】
また、本発明では仰臥した人の少なくとも背中から臀部に至る領域の左側を支持可能な長さ寸法、幅寸法の左側マット部と、仰臥した人の少なくとも背中から臀部に至る領域の右側を支持可能な長さ寸法、幅寸法の右側マット部と、前記左側マット部と右側マット部との間に、その長さ方向にわたって確保される所定幅の隙間部と、当該隙間部の間隔を任意に調整可能にして左側マット部と右側マット部とを連結する連結部とからなる褥瘡予防用補助マットを提供する。
【００２０】
上記左側マット部と右側マット部とは、夫々、仰臥した人の少なくとも背中から臀部に至る領域の左側又は右側を支持する大きさに形成されるものであり、望ましくは仰臥した人の肩から臀部、特に望ましくは肩から太腿近傍までを支持可能な大きさに形成する。即ち、この左側マット部と右側マット部の長さ寸法や厚さは使用者の体型などに合わせて適宜設定する事が望ましい。例えば長さが９０〜１３０ｃｍ程度、厚さが３〜５ｃｍ程度に形成する事ができる。また左側マット部と右側マット部の幅寸法は敷設する布団やベッドなどの寝具に応じて適宜調整する事が望ましい。例えば隙間部の最大幅を１０ｃｍとした場合、寝具幅が１００ｃｍである場合には、４５ｃｍ程度の幅である事が望ましく、また寝具幅が１２０ｃｍである場合には、５５ｃｍ程度の幅である事が望ましく、そして寝具幅が１４０ｃｍである場合には、６５ｃｍ程度の幅である事が望ましい。更にかかる褥瘡予防の為の補助マットはベビーベッド等においても使用する事ができる。
【００２１】
この左側マット部と右側マット部は、綿、羽毛、羊毛やウレタンなどの柔軟性を有する材料など、布団などに使用されている材料を用いて形成することができる。無負荷の状態における厚さが３〜５ｃｍ程度であることにより、持ち運びも容易にすることができる。そして仰臥又は横臥する等によって利用者が乗った場合に於いて、荷重を加えた部分の厚さは、０．５〜２ｃｍ程度の厚さを保持できることが望ましい。仰臥した人の背中左右両側を支持して脊椎周りを寝具から離して置く為、および横臥した人を隙間部でおさえる事ができるようにする為である。
【００２２】
上記本発明に係る褥瘡予防用補助マットは、ベッドや布団などの寝具の上に敷いて使用する事ができる。そしてこの褥瘡予防用補助マットの上に、使用者が横臥又は仰臥する事により、肩から臀部、又は太腿までが、この褥瘡予防用補助マットの上に乗る事ができる。そして、本発明に係る褥瘡予防用補助マットでは、左側マット部と右側マット部との間には、その長さ方向にわたって延在する所定幅の隙間部が形成されている。この為、特に仰臥した姿勢においては、使用者の背中の左右側及び腰部の左右側、そして臀部の左右側がこの褥瘡予防用補助マット、特に左側マット部と右側マット部に支持されることになる。その結果、使用者の脊椎周辺がベッドや布団から離れ、ベッドや布団などの寝具と、仰臥した使用者の脊椎周辺との間に僅かな隙間を確保する事ができる。此れにより脊椎近傍における血流の循環も円滑になり、かつ当該隙間により空気の流通を図る事ができるので、皮膚が蒸れたり、ただれたりする惧れを無くす事ができる。その結果、褥瘡の発生を効果的に阻止できると共に、発生した褥瘡の改善を期待する事ができる。
【００２３】
また、この褥瘡予防用補助マットにおける左側マット部と右側マット部との間に延在する所定幅の隙間部の間隔は、連結部による左側マット部と右側マット部との連結間隔を調整する事により、任意に調整する事が可能となっている。この為、使用者の体重や体型により、任意にこの隙間部の間隔を調整する事ができる。即ち、左側マット部と右側マット部とは、所定の弾力性を有するように形成されている所、使用者の体重や体型によっては、左側マット部と右側マット部の収縮量は異なってしまう。この為、体重や体型に応じて、この隙間部の間隔を調整し、両マット部の沈み込み量（収縮量）が大きい場合には、例えばこの間隔を狭める等により、使用者の脊椎周辺を確実にベッドや布団などの寝具から離間しておくことが可能になる。
【００２４】
ここで、上記左側マット部と右側マット部とを連結する連結部としては、両マット間に跨る帯状の部材を、少なくとも何れかのマット部に対して着脱自在に連結可能にした構造のものが使用され、例えば面ファスナー、ファスナー、フック等、公知の連結具を使用して形成する事ができる。なお、この連結部は、当該褥瘡予防用補助マット状に使用者が仰臥又は横臥した場合であっても、左側マット部と右側マット部との間の隙間部の幅が変化しない位置に形成される事が望ましい。
【００２５】
そして、本発明に係る褥瘡予防用補助マットにおいて、左側マット部と右側マット部は、仰臥した人の少なくとも背中から臀部に至る領域の左側又は右側を支持する長さに形成されている。その結果、仰臥した利用者も、特段の凹凸や不自然さを感じることなく、長時間使用する事が可能になる。また、各マット部をこのような大きさに形成している事から、仰臥した使用者の体重を背中から臀部にかけて全体的に分散する事ができると共に、持ち歩く上でも嵩張ることなく望ましいものとなる。
【００２６】
また、上記本発明に係る褥瘡予防用補助マットにおいて、左側マット部と右側マット部には、当該褥瘡予防用補助マットを載せるベッド又は布団に連結する為の紐状部分を有する固定具を設けることもできる。このように形成した場合には、当該固定具における紐状の部分をベッドや布団等に結び付ける事により、この褥瘡予防用補助マットのズレを阻止する事ができる。特に上半身側がリクライニングして起き上がることができるベッドに装着する場合には、リクライニングしてマットレスが起き上がった時に、この褥瘡予防用補助マットがズレ下がるのを阻止することができる。このような固定具は、紐状の部分を有する事により、特別な困難なく、誰でも褥瘡予防用補助マットをベッドなどに連結する事ができる。ただし、紐状部分以外であっても、簡易に褥瘡予防用補助マットをベッド、例えばベッドのフレームなどに連結できるものであれば、本発明における固定部として使用する事ができる。
【００２７】
そして上記本発明に係る褥瘡予防用補助マットにおいて、前記左側マット部と右側マット部とは、その幅、厚さ、及び長さの少なくとも何れかが異なっているものとすることもできる。
【００２８】
例えば右側マット部（又は左側マット部）の幅を他方のマット部の幅よりも大きく（例えば他方のマット部の幅よりも２０％以上大きく）することができ、この場合には使用者の体の中心を寝具の片側に寄せる必要がある場合に有効なる。また右側マット部（又は左側マット部）の厚さを他方のマット部の厚さよりも厚く（例えば他方のマット部の厚さよりも２０％以上厚く）することができ、この場合には使用者が仰臥した状態に於いて、何れか一方に傾ける必要がある場合や、横臥した状態に於いて使用者の背面側（背中側）又は正面側（胸部側）を支持したい場合に有効になる。そして右側マット部（又は左側マット部）の長さを他方のマット部の長さよりも長くすることができ、この場合には使用者の何れかの部位に疾患している患部があるような場合に、当該患部に使用者の体重が掛からない様にする場合に有効となる。また、横臥した姿勢に於いて、背中側又は胸部側をより長い範囲で支持したい場合等に於いても有効になる。
【発明の効果】
【００２９】
以上の様に構成される本発明の褥瘡予防用補助マットによれば、左側マット部と右側マット部とは、仰臥した人の少なくとも背中から臀部に至る領域の左側又は右側を支持可能な長さ寸法、幅寸法に形成されている事から、不自然な凹凸もなく長い時間使用する事ができる。更にこのような大きさに形成された左側マット部と右側マット部によれば、体重をより広い範囲に分散する事ができることから、何れかの部位に集中的に体重がかかり、圧迫、うっ血を生じる等、褥瘡が発生する原因を根本的に解消する事ができる。即ち、横臥又は仰臥したときの体重の分散が自然であって、凹凸による違和感の存在しない褥瘡予防の為の補助マットを提供することができる。
【００３０】
また、本発明に係る褥瘡予防用補助マットでは、左側マット部と右側マット部との間に、その長さ方向にわたって確保される所定幅の隙間部が存在していることから、脊椎近傍をベッドや布団などの寝具から浮かせておくことができ、これにより脊椎近傍に体重がかかり、圧迫やうっ血が生じる等、褥瘡が発生する原因を根本的に解消する事ができる。更に、この隙間部に横臥した場合には、その横臥した人の背中や肩などをマット部で支持する事ができる事から、この横臥した姿勢を安定して持続することのできるようにした褥瘡予防の為の補助マットを提供することができる。
【００３１】
そして左側マット部と右側マット部との間隔を調整自在に連結する連結部とを備えている事から、利用者の体重や体型に合わせて当該隙間部の間隔を調整することができ、その結果、効果的に体重の多くかかる部位（脊椎近傍）を浮かせることができる褥瘡予防の為の補助マットを提供することができる。また、係る褥瘡予防の為の補助マットによれば、就寝中にも移動する事が無く、所期の場所に留めておくことができ、更に利用者に巻きつける等による違和感を無くした褥瘡予防の為の補助マットを提供することができる。
【００３２】
更に、本発明に係る褥瘡予防用補助マットにおいて、左側マット部と右側マット部には、当該褥瘡予防用補助マットを載置するベッド又は布団に連結する為の紐状部分を有する固定具を設けた場合には、上半身側がリクライニングするベッドなどに於いても、リクライニングに於いて当該褥瘡予防用補助マットがズレ落ちることのない褥瘡予防の為の補助マットを提供することができる。
【００３３】
そして本発明に係る褥瘡予防用補助マットにおいて、左側マット部と右側マット部とでは、その幅、厚さ、及び長さの少なくとも何れかを異ならせた場合には、使用者の好みや使用する状況に合わせて体勢を最適に保持できる褥瘡予防の為の補助マットを提供することができる。
【図面の簡単な説明】
【００３４】
【図１】本実施の形態に係る褥瘡予防用補助マットを示す平面斜視図
【図２】本実施の形態に係る褥瘡予防用補助マットを示す背面斜視図
【図３】仰臥姿勢における使用状態を示す（Ａ）平面図、（Ｂ）横断面図
【図４】横臥姿勢における使用状態を示す（Ａ）平面図、（Ｂ）横断面図
【図５】他の実施の形態に係る褥瘡予防用補助マットを示す平面斜視図
【図６】パッド部同士の連結状態を示す（Ａ）背面図、（Ｂ）横断面図
【図７】褥瘡予防用補助マットの折り畳み状態を示す工程図
【図８】導尿管の設置状態を示す平面図
【図９】紐状部分を有する固定具を設けた例を示す側面図
【図１０】従来のとこずれ予防具を示す略図
【図１１】従来の褥瘡防止用具を示す略図
【図１２】従来の床擦れ予防パッドを示す略図
【発明を実施するための形態】
【００３５】
以下、図面を参照しながら、本実施の形態に係る褥瘡予防用補助マット５０を説明する。先ず、この実施の形態に係る褥瘡予防用補助マット５０は、図１に示すように、平面視が長方形に形成された２つのマット部１０Ｒ，１０Ｌを用いて形成されている。この２つのマット部１０Ｒ，１０Ｌは、長さ方向の向きを揃えて並行に配置されており、両者間には所定幅の隙間が形成されている。この隙間は、仰臥した利用者の脊椎部分をベッドや布団等の寝具２０から離間させる為の隙間部１４として機能する。
【００３６】
この図１に示す実施の形態に於いて、２つのマット部は、仰臥した利用者の右半身側を支持する右側マット部１０Ｒ材と、仰臥した利用者の左半身側を支持する左側マット部１０Ｌ材とで構成されている。そして両マット部材は、相互に向かい合う側（内側）の面の高さを低くし、外側を高くした、横断面形状がおおよそ楔形状となっている。即ち、右側マット部１０Ｒと左側マット部１０Ｌとは相互に対称な形状に形成されている。
【００３７】
特に、この褥瘡予防用補助マット５０は、敷き布団又はベッド等の寝具２０の幅が約１００ｃｍのものに使用される場合、隙間部１４を最大１０ｃｍとすると、右側マット部１０Ｒと左側マット部１０Ｌとは、「（１００ｃｍ−１０ｃｍ）÷２」の演算式により、約４５ｃｍ程度の幅に形成される。そして、当該両マット部の厚さは、相互に向かい合う側（内側）において、約３〜５ｃｍ程度に形成されるのが望ましい。一方で、図１に示すように各マット部の横断面形状が楔形である場合に於いて、外側の高さは１０ｃｍを超えない事が望ましい。
【００３８】
そして、各マット部１０Ｒ，１０Ｌの形状を、図１に示すように横断面形状が楔形となるように形成した場合、この上に仰臥した利用者の体は、胴周りや背中周りの湾曲形状に沿って支持される。よって体重をより分散させる事ができる。このような横断面形状が楔形のマット部材は、例えばウレタンなどの発泡性樹脂を使用して成型する事により製造する事が考えられる。
【００３９】
また、上記図１に示した様な横断面形状が楔形のマット部に代え、図５に示すように、幅方向に同じ厚さ（望ましくは３〜５ｃｍ）のマット部とする事もできる。このように形成した場合でも、仰臥した利用者の体重は確実に分散する事ができ、一か所に集中するような事態を無くす事ができる。更に、各マット部１０Ｒ，１０Ｌを広さ方向に同じ厚さとする事により、布帛からなる袋体内に綿、羽毛、羊毛等を詰めて形成する事もでき、様々な材料を用いて簡易に製造する事ができる。なお、このマット部が袋体やカバーなどを伴っており、当該袋体やカバーがファスナーを備える場合、当該ファスナーを閉じた状態に於いて、そのスライダーは褥瘡予防用補助マット５０に仰臥した人の頭側、更に望ましくは頭側且つ外側に存在するように形成するのが望ましい。足側に存在した場合には、使用時に於いて当該スライダーの突起で利用者に違和感を生じさせてしまう事が考えられる為である。
【００４０】
そして、以上の様に構成された右側マット部１０Ｒと左側マット部１０Ｌとは、図２に示すように背面に設けた連結部１２によって繋げられ、一体化されている。この連結部１２は、図２（Ａ）に示すように、２つのマット部１０Ｒ，１０Ｌに対して着脱自在な帯状の連結部１２とする他、図２（Ｂ）に示すように、一方のマット部に一体化され、他方のマット部の裏面に対して着脱自在な帯状の連結部１２とする事ができる。そして着脱自在な連結を成す為には、例えば連結部１２の上面とマット部の下面とに相互に連結自在な連結具、例えば面ファスナーなどフックとリングが係合する構造を設ける事ができる。その他にもフック同士が係合する構造、或いはフックと孔とが係合する構造のものを設ける事ができる。
【００４１】
図３は、上記本実施の形態に係る褥瘡予防用補助マット５０の使用状態示す図面であり、図３（Ａ）は使用状態における平面図、図３（Ｂ）は頭部方向から見た横断面図である。特にこの図３では、使用者が仰臥した姿勢（即ち仰向けになった姿勢）で横になった場合の使用状態を示しており、使用者が横臥した状態に於いて、脊椎部分は、頸椎、胸椎、腰椎、仙椎、尻椎に至るまで、ベッドや布団などの寝具２０から離しておくことができる。即ち、使用者における脊椎近傍を、ベッドや布団などの寝具２０から離間させると共に、両者間に隙間部１４を形成する事ができる。またこの隙間部１４により形成された空間により、空気の循環が促進されることから、汗や排泄物による皮膚のただれの問題を解消し、また脊椎により皮膚がベッドや布団などの寝具２０に押し付けられ、うっ血する等の問題を解消することから、褥瘡が発生する要因を解消し、褥瘡の発症の問題を解決する事ができる。
【００４２】
図４は、上記本実施の形態に係る褥瘡予防用補助マット５０の他の使用状態を示しており、図４（Ａ）は使用状態における平面図、図４（Ｂ）は頭部方向から見た横断面図である。この図に示すように、本実施の形態に係る褥瘡予防用補助マット５０は、利用者が横臥した姿勢（横向きになった姿勢）において、体の側面は、左側マット部１０Ｌと右側マット部１０Ｒとの間に形成された隙間部１４に嵌り、背中側マット部により背中側を支持する事ができる。更に、横臥姿勢で上側の脚を投げ出した場合には、当該投げ出した脚はマット部の上に載せ置かれ、ベッドや布団などの寝具２０面よりも高い位置に保持する事ができる。よって股関節の屈曲を小さくすることができ、無理なく仰臥姿勢を維持する事ができる。そして、仮にうつ伏せ姿勢となった場合であっても、褥瘡予防の為の補助マットと枕の間の空間、及び左側マット部１０Ｌと右側マット部１０Ｒとの間の空間の存在により、空気（呼気）が円滑に通る事ができ、よって息苦しさを無くす事ができる。
【００４３】
図６はパッド部同士の連結状態を示す（Ａ）背面図、（Ｂ）横断面図であり、この実施の形態では、褥瘡予防用補助マット５０の背面側に、２つのマット部を連結する連結部１２を設置している。この連結部１２は矩形に形成されて、一方の端部（図面における左側端部）がマット部に縫合等により固定されており、他方の端部（図面における右側端部）のマット部の背面と向きあう面には、面ファスナー（雄又は雌）が設けられている。そして当該他方の端部において連結部１２と向き合う個所にも面ファスナー（雌又は雄）が設けられている。此れにより、マット部同士１０Ｒ，１０Ｌの連結間隔を調整する事により、両者間に設けられる隙間部１４の間隔を調整する事ができる。
【００４４】
この実施の形態に於いて、連結部１２はマット部の長さ方向に３個設けられているが、マット部の長さ方向の中心位置を除いた部分に形成されている。即ち、マット部の長さをＹとした場合、中央の連結部１２は「Ｙ×１／２」となる位置に存在しない様に形成する事が望ましい。これは図７（Ｂ）に示すように、マット部同士を重ね合わせ、そして図７（Ｃ）に示すように、重ね合わせたマット部同士を長さ方向の中心から２つ折りにすることにより持ち運びが容易なサイズにすることができる。例えば、各マット部の大きさを幅４０ｃｍ、長さ１１０ｃｍ、厚さ４ｃｍに形成した場合、図７（Ｃ）に示すように折り畳んだ状態では、幅４０ｃｍ、長さ約５５ｃｍ、厚さ約１２ｃｍとなり、公共交通機関を使用しても持ち歩くことのできる大きさとなる。
【００４５】
図８は、本実施の形態に係る褥瘡予防用補助マット５０の使用状態を示す平面図であり、特に導尿管４０の設置状態を示している。本実施の形態に係る褥瘡予防用補助マット５０は、起き上がることが困難な患者において使用するのに最適なものとなっており、排泄の為の器具の設置にも有用に機能するように工夫している。即ち、多くの医療施設に於いては、起き上がることが困難な患者に対して、その排泄（特に尿の排出）の為の苦労を軽減するべく導尿管（バルーンカテーテル）４０を設置する治療を施している。この導尿管４０は外尿道口から膀胱まで通すことにより、起き上がることなく排尿できるようにするものであり、尿を通す導尿管４０をベッド等の外に導く必要がある。この為、従前においては、ベッド上には当該導尿管４０が敷設されて、これがベッド面に凹凸を生じさせていた。また寝返り等により導尿管４０を引っかけてしまう可能性もあった。そこで本実施の形態に係る褥瘡予防用補助マット５０では、ベッド上に這わせた導尿管４０の上に褥瘡予防用補助マット５０を敷設する事により、導尿管４０による凹凸の発生や、導尿管を引っかけてしまうおそれを無くしている。特に、この褥瘡予防用補助マット５０では、仰臥した姿勢又は横臥した姿勢の排泄部分の下に、前記隙間部１４が存在する事から、この導尿管４０を排泄部近傍に簡易に取出すことができる。また、当該マット部の脚側端部が臀部から膝の範囲に存在する事により、導尿管を設置する際には、当該マット部をめくり返すことにより、簡易に設置する事ができる。なお、このような管の設置は必ずしも導尿管４０に限られるものではなく、患者に繋げられる各種の管を当該褥瘡予防用補助マット５０の下に通すことで、ベッド上をスッキリさせる事ができる。
【００４６】
また、本実施の形態に係る褥瘡予防用補助マット５０は、上記導尿管（バルーンカテーテル）４０と同じように、胃瘻患者に留置するチューブ４２の設置にも使用する事ができる。即ち、主に経口摂取困難な胃瘻患者に対しては、人為的に皮膚と胃に瘻孔を作成し、これにチューブを留置して、水分・栄養を流入させる処置を実施する事があり、その際には、水分や栄養を供給するチューブを患者に留置しなければならない。通常、かかるチューブ４２は患者の上に設置される場合も多いが、本実施の形態に係る褥瘡予防の為の補助マットによれば、この胃瘻患者に留置するチューブ４２もマット部の下に配置する事ができ、そして患者の首付近から上に引き出すことにより、ベッド上をスッキリさせる事ができる。更に、患者に対して点滴などを実施する場合にも、点滴の管４４を当該マットの下を通し、そして左側マット部１０Ｌと右側マット部１０Ｒの間の隙間から引き出すことにより、ベッドの上をスッキリさせる事ができる。その結果、患者の寝返りにより管４４やチューブを引っ張ってしまい、これらが脱視するような事態を回避する事ができる。
【００４７】
図９は、褥瘡予防用補助マット５０をベッド又は布団に連結する為の紐状部分を有する固定具１６を設けた例を示す側面図である。この図に示すように、当該褥瘡予防用補助マット５０の側面に設けた固定具により、当該褥瘡予防用補助マット５０をベッドに固定する事により、ベッドの上部をリクライニングさせて背当て状態にした場合であっても、この褥瘡予防用補助マット５０がズレ落ちるおそれは無くなる。特に近年に於いては、医療や介護施設に於いては、リクライニング機能付きのベッドが多く用いられている事から、リクライニングの都度、褥瘡予防用補助マット５０を敷き直す手間を削減できるので有用である。かかる固定具としては、当該褥瘡予防用補助マット５０自体を、面ファスナーなどによりベッドの上面に固定する事も考えられるが、長い間使用する事や、誰でも困難なくベッドに固定する事を考えれば、当該固定具１６は紐状の部分を備えて形成される事が望ましく、更に、紐状部分の先端にフック等を設け、このフックによりベッドのフレームなどに固定できるようにしておくのが望ましい。
【産業上の利用可能性】
【００４８】
上記本発明に係る褥瘡予防用補助マットは、医療施設や介護施設に於いて使用する事ができ、その他にも一般家庭や宿泊施設に於いても使用する事ができる。また、この褥瘡予防用補助マットは、必ずしも褥瘡を予防する為だけに使用されるものではなく、健常者であっても、より快適に就眠する為に使用する事もできる。
【符号の説明】
【００４９】
１０Ｌ    左側マット部
１０Ｒ    右側マット部
１２    連結部
１４    隙間部
１６    固定具
２０    寝具
４０    導尿管
４２    胃瘻患者に留置するチューブ
４４    点滴の管
【図１】
0005993165.tif 000002
【図２】
0005993165.tif 000003
【図３】
0005993165.tif 000004
【図４】
0005993165.tif 000005
【図５】
0005993165.tif 000006
【図６】
0005993165.tif 000007
【図７】
0005993165.tif 000008
【図８】
0005993165.tif 000009
【図９】
0005993165.tif 000010
【図１０】
0005993165.tif 000011
【図１１】
0005993165.tif 000012
【図１２】
0005993165.tif 000013